(57)【要約】【課題】保留に応答すべき外線を容易に識別することができるボタン電話システムを提供する。【解決手段】表示処理手段１３ｂは、保留外線に応答すべきユーザの名前を特定する宛先情報と外線Ｉ／Ｆ部１１に基づいて、少なくとも保留外線の識別番号と、宛先となるユーザの名前とが含まれる保留表示情報を生成し、他のボタン電話機に送信する。これにより、全てのボタン電話機の画面表示部２６には、保留にした外線の識別番号と保留外線に応答すべきユーザの名前とが表示されるので、ユーザは、全てのボタン電話機で保留外線とこの外線に応答すべきユーザとを認識することができる。このため、ユーザは、宛先となるボタン電話機ではない他の電話機においても、自分宛の保留外線との通話に応答することができる。【選択図】  図１
2007096869.tif 000002
【特許請求の範囲】
【請求項１】
電話網に接続される主装置と、
内線伝送路を介して前記主装置に接続され、複数のボタン電話機のうち各種情報を表示する画面表示部を備えたボタン電話機とを備え、
前記主装置は、通話を保留にする操作が行われると、保留操作を行ったボタン電話機および転送先ボタン電話機のうち少なくとも一方に関する情報を、前記画面表示部を備えたボタン電話機の画面表示部に表示させる
ことを特徴とするボタン電話システム。
【請求項２】
前記表示処理手段は、さらに前記保留操作を行ったボタン電話機に関する情報を他の前記ボタン電話機の画面表示部に表示させる
ことを特徴とする請求項１記載のボタン電話システム。
【請求項３】
前記表示処理手段は、さらに前記１の外線に接続された電話装置の電話番号に関する情報を他の前記ボタン電話機の画面表示部に表示させる
ことを特徴とする請求項１または請求項２に記載のボタン電話システム。
【発明の詳細な説明】
【技術分野】
【０００１】
本発明は、ボタン電話システムに関し、特に保留機能を有するボタン電話システムに関するものである。
【背景技術】
【０００２】
一般に、ボタン電話システムは、電話網に接続されている主装置と、この主装置に接続された１台以上のボタン電話機とから構成されている。ボタン電話機では、キー操作やハンドセットの状態を検出し、これらの操作情報を主装置に送信し、主装置では、ボタン電話機からの操作情報に基づき機能処理を行うことにより、電話網を介しての外線通話、他のボタン電話機との内線通話、通話中の外線を保留にする保留動作などの各種機能が実現される。
【０００３】
このようなボタン電話システムにおいて、保留にされた外線（以下、「保留外線」と呼ぶ。）に応答する場合、ユーザは、外線ボタンに設けられた保留状態を示す外線ランプにより保留外線を特定し、対応する外線ボタンを押下する。これにより、外線ボタンが押下されたボタン電話機と保留外線との通話パスが確立され、通話することが可能となる。このような保留応答動作において、複数の外線が保留されている場合、ユーザは、何れの保留外線に応答すべきかわからなくなることがある。そこで、近年では、保留外線に応答すべきボタン電話機を指定し、この指定されたボタン電話機には応答すべき外線が識別できる表示を行うボタン電話システムが提案されている（例えば、特許文献１参照。）。
【０００４】
【特許文献１】特開平５−３１６２２０号公報
【発明の開示】
【発明が解決しようとする課題】
【０００５】
しかしながら、従来のボタン電話システムでは、指定されたボタン電話機ではない他のボタン電話機で保留外線に応答する場合、何れの保留外線に応答すべきかがわからなくなるという事態が発生していた。また、複数のユーザが同じボタン電話機を使用する場合、何れのユーザが保留外線に応答すべきかがわからないという事態も生じていた。
【０００６】
そこで、本願発明は、上述した課題を解消するためになされたものであり、保留に応答すべき外線を容易に識別することができるボタン電話システムを提供することを目的とする。
【課題を解決するための手段】
【０００７】
上述したような課題を解決するために、本発明にかかるボタン電話システムは、電話網に接続される主装置と、内線伝送路を介して主装置に接続され、複数のボタン電話機のうち各種情報を表示する画面表示部を備えたボタン電話機とを備え、主装置は、通話を保留にする操作が行われると、保留操作を行ったボタン電話機および転送先ボタン電話機のうち少なくとも一方に関する情報を、画面表示部を備えたボタン電話機の画面表示部に表示させることを特徴とする。
【０００８】
上記ボタン電話システムにおいて、表示処理手段は、さらに保留操作を行ったボタン電話機に関する情報を他のボタン電話機の画面表示部に表示させるようにしてもよい。また、表示処理手段は、さらに１の外線に接続された電話装置の電話番号に関する情報を他のボタン電話機の画面表示部に表示させるようにしてもよい。
【発明の効果】
【０００９】
本発明によれば、保留操作を行ったボタン電話機および転送先ボタン電話機のうち少なくとも一方に関する情報が、画面表示部を備えたボタン電話機の画面表示部に表示されるので、応答すべき外線を容易に識別することができる。
【発明を実施するための最良の形態】
【００１０】
以下、図面を参照して、本発明の実施の形態について詳細に説明する。図１は、本実施の形態におけるボタン電話システムの構成を示すブロック図である。図１において、ボタン電話システムは、アナログ電話網、ＩＳＤＮ（Integrated Service Digital Network）網、ＩＰ（Internet Protocol）網等からなる電話網１０に接続された主装置１と、内線伝送路２０を介して主装置１に接続された複数のボタン電話機２（２Ａ〜２Ｎ）とから構成される。なお、本実施の形態は、同時に複数の通話が可能なボタン電話システムを想定している。
【００１１】
主装置１は、電話網１０を終端制御する外線Ｉ／Ｆ部１１と、内線伝送路２０を介して接続された各ボタン電話機とデータ伝送を行う内線Ｉ／Ｆ部１２と、外線Ｉ／Ｆ部１１と内線Ｉ／Ｆ部１２との間に設けられ、各種機能処理を行う主制御部１３と、この主制御部１３での処理に必要な情報を記憶する主記憶部１４とを備える。なお、内線伝送路２０としては、有線伝送路を用いてもよく、無線伝送路を用いてもよい。
【００１２】
ここで、主制御部１３は、各ボタン電話機２の動作制御や電話網１０の制御など、一般的なボタン電話システムが持つ機能を提供するための機能処理手段１３ａと、この機能処理手段１３ａの動作に伴ってボタン電話機２の表示画面に表示させる後述する通話表示情報、アイドル状態での表示情報、宛先選択表示情報、保留表示情報、通話表示情報、表示変更情報等の表示情報を生成し、ボタン電話機２に送信する表示処理手段１３ｂとが設けられている。
【００１３】
また、主記憶部１４には、各ボタン電話機２の内線番号と、各ボタン電話機２のユーザの名前とが対応付けて予め記憶されている。なお、１台のボタン電話機２に複数のユーザの名前を登録するようにしてもよい。
【００１４】
ボタン電話機２（２Ａ〜２Ｎ）は、それぞれ同様の構成をなしている。これらのボタン電話機２は、内線伝送路２０を介して主装置１とデータ伝送を行う伝送Ｉ／Ｆ部２１と、伝送Ｉ／Ｆ部２１で受信された音声データを音声信号へ復号化してハンドセットＨＳやスピーカＳＰへ出力し、ハンドセットＨＳやマイクＭＩＣから入力された音声信号を音声データへ復号化して伝送Ｉ／Ｆ部２１へ出力する音声処理部２２と、各種キー操作やフック状態を検出する操作入力部２３と、操作入力部２３で検出された操作データを伝送Ｉ／Ｆ部２１を介して主装置１へ送信するとともに、伝送Ｉ／Ｆ部２１で受信された主装置１からの制御データに基づきボタン電話機の各回路部を制御する子機制御部２４と、子機制御部２４での制御処理に必要な各種情報を記憶する制御メモリ２５と、文字、図柄、画像などからなる各種情報を表示するＬＣＤ（Liquid Crystal Display）などの画面表示部２６とを備える。
【００１５】
操作入力部２３は、ユーザによる着信応答や外線捕捉等の操作入力を検出する外線ボタン、ユーザによる通話中の外線の保留や保留中の外線（以下、「保留外線」と呼ぶ。）に応答する保留応答等の操作入力を検出する保留ボタン、ユーザによるダイヤル入力を検出するテンキー、ユーザが画面表示部２６に表示される各種情報に基づいて行う選択および決定に関する操作入力を検出するカーソルキー等が設けられている。ここで、外線ボタンは、複数設けられており、それぞれに識別番号が付与されている。また、各外線ボタンには、通話状態や保留状態などを表す外線ランプが設けられている。このような各種ボタンやキーを有することにより、操作入力部２３は、通話中の外線を保留にする保留動作、保留外線に応答する保留応答動作、保留外線に応答すべきボタン電話機を選択する宛先選択動作等を検出することが可能となる。
【００１６】
なお、本実施の形態において、外線とは、アナログ電話網の場合は回線、ＩＳＤＮ網やＩＰ網の場合はチャネルのことを意味する。したがって、１つの外線は、１つの回線または１つのチャネルを表す。
【００１７】
次に、図２を参照して、本実施の形態にかかるボタン電話システムの保留動作および保留応答動作について説明する。
主装置１の主制御部１３では、機能処理手段１３ａを用いて各ボタン電話機の状態を管理しており、必要に応じてボタン電話機の動作を制御する制御データがボタン電話機に送信される。また、このような機能処理手段１３ａの動作に伴って、表示処理手段１３ｂにより各ボタン電話機の画面表示部２６の表示状態を管理しており、必要に応じて表示に関する各種情報がボタン電話機に送信される。例えば、図２に示すようにボタン電話機２Ａ，２Ｂが使用可能なアイドル状態の場合は、カレンダーや現在時刻を表示させるため、これらカレンダーおよび現在時刻に関する情報からなるアイドル状態での表示情報が表示処理手段１３ｂで生成され、表示情報としてボタン電話機２Ａ，２Ｂへ送信される（ステップＳ２０１，２０２）。このアイドル状態での表示情報を含む表示処理手段１３ｂにより生成される表示情報は、主制御部１３から内線Ｉ／Ｆ部１２、内線伝送路２０、ボタン電話機２Ａ，２Ｂの伝送Ｉ／Ｆ部２１を介して子機制御部２４で受信される。
【００１８】
アイドル状態での表示情報等の表示情報を受信すると、子機制御部２４では、その表示情報を画面表示部２６に表示する（ステップＳ２０３，２０４）。これにより、ボタン電話機２Ａ，２Ｂがアイドル状態である場合は、図３（ａ）に示すように、カレンダーと現在時刻が表示される。
【００１９】
ここで、ボタン電話機２Ａが電話網１０を介して相手先の電話機と通話状態であるとする（ステップＳ２１０）。なお、このとき、主装置１の表示処理手段１３ｂは、カレンダーや現在時刻とともに、相手先の電話番号、通話時間、通話料金を表示させるため、これらカレンダー、現在時刻、電話番号、通話時間および通話料金に関する情報からなる通話表示情報を生成し、ボタン電話機２Ａへ送信するようにしてもよい。これにより、ボタン電話機２Ａの画面表示部２６には、図３（ｂ）に示すように、カレンダーや現在時刻とともに、相手先の電話番号、通話時間、通話料金が表示される。
【００２０】
このようにボタン電話機２Ａが通話状態にあるとき、この通話状態にある相手先との通話を保留にし、この通話を他のボタン電話機に転送する場合、まず、ボタン電話機２Ａのユーザは保留ボタンを押下する。この保留ボタンが押下されたことに関する保留操作情報は、ボタン電話機２Ａの操作入力部２３により検出され（ステップＳ２１１）、子機制御部２４から伝送Ｉ／Ｆ部２１、内線伝送路２０、内線Ｉ／Ｆ部１２を介して主装置１の主制御部１３に送信される（ステップＳ２１２）。
【００２１】
保留操作情報を受信すると、機能処理手段１３ａは、ボタン電話機２Ａが相手先との通話に使用してた外線を保留にする。また、表示処理手段１３ｂは、保留外線を転送するボタン電話機を選択させるための宛先選択表示情報を生成し、ボタン電話機２Ａに送信する（ステップＳ２１３）。これにより、ボタン電話機２Ａの画面表示部２６には、宛先選択表示情報が表示される（ステップＳ２１４）。
【００２２】
ここで、表示処理手段１３ｂは、主記憶部１４に記憶された各ボタン電話機２の内線番号および各ボタン電話機２のユーザの名前に関する情報に基づいて、少なくとも保留外線の転送先となるユーザの名前が含まれた宛先選択表示情報を生成する。上述した様に、主記憶部１４には、各ボタン電話機２のユーザの名前が記憶されている。これにより、画面表示部２６には、図３（ｃ）に示すように、保留外線に応答可能なユーザの名前が列挙して表示される。このように、保留外線に応答可能なユーザの名前を表示することにより、保留操作を行うユーザは、保留外線を転送するユーザを容易に選択することができる。
【００２３】
ここで、宛先選択表示情報を画面表示部２６に表示する際、画面表示部２６のサイズや画面表示部２６に表示される文字の大きさにより、一度に全てのユーザの名前を画面表示部２６に表示できない場合がある。このような場合、表示処理手段１３ｂは、例えば、ユーザがカーソルキーを上下方向に操作することにより、ユーザの名前をスクロールさせるように宛先選択表示情報を画面表示部２６に表示させるようにしてもよい。これにより、多数のユーザの名前を表示することができるので、主装置が多数のボタン電話機を収容した大規模な電話システムを構築することが可能となる。
【００２４】
なお、宛先選択表示情報には、ユーザの宛先の選択を促す旨のメッセージ等を含めるようにしてもよい。これにより、図３（ｃ）に示すように、選択するユーザの名前とともに宛先の選択を促すメッセージが画面表示部２６に表示される。
【００２５】
宛先選択表示情報が画面表示部２６に表示されると、ユーザは、保留外線を転送するユーザの名前を選択する。この宛先選択動作は、例えば、図３（ｃ）に示すように、画面表示部２６に表示されたユーザの中から所望するユーザをカーソルキーにより選択することにより行うようにしてもよい。図３（ｃ）では、保留外線を転送するユーザとして、白抜きで表示されている「××課長」が選択されたことを表している。このような宛先選択動作により何れかのユーザが選択されたことに関する宛先情報は、ボタン電話機２Ａの操作入力部２３により検出され（ステップＳ２１５）、主装置１の主制御部１３に送信される（ステップＳ２１６）。
【００２６】
宛先情報を受信すると、表示処理手段１３ｂは、保留外線に関する保留表示情報を生成し、本実施の形態にかかる電話システムの他の全てのボタン電話機に送信する（ステップＳ２１７，２１８）。これにより、ボタン電話機２Ａ，２Ｂを含む全てのボタン電話機の画面表示部２６には、保留表示情報が表示される（ステップＳ２１９，２２０）。
【００２７】
ここで、表示処理手段１３ｂは、宛先情報と外線Ｉ／Ｆ部１１が捕捉した外線に割り当てた識別番号とに基づいて、少なくとも保留外線の識別番号と、転送先となるユーザの名前とが少なくとも含まれる保留表示情報を生成する。これにより、他の全てのボタン電話機の画面表示部２６には、保留外線の識別番号と転送先のユーザの名前とが表示される。したがって、ユーザは、全てのボタン電話機で保留外線とこの外線に応答すべきユーザとを認識することができる。このため、ユーザは、いずれのボタン電話機においても、自分宛の保留外線に応答することができる。また、１台のボタン電話機を複数のユーザで使用する場合であっても、保留外線に応答すべきユーザを識別することができる。
【００２８】
なお、保留表示情報には、発信者番号通知を受信した場合、保留にされた相手先の電話番号等を含めるようにしてもよい。これにより、ユーザは、保留外線に応答できない場合であっても、相手先の電話を書き留めておき、後でかけ直すことが可能となる。また、保留表示情報には、保留操作を行ったユーザの名前やボタン電話機の内線番号を含めるようにしてもよい。これにより、ユーザは、宛先間違えなど保留操作に不備があった場合、保留操作を行ったユーザにその不備について尋ねることが可能となる。また、保留表示情報には、保留を行った日時や現在時刻等を含めるようにしてもよい。
【００２９】
また、保留表示情報は、図３（ｄ）に示すように、ボタン電話機の画面表示部２６上でスクロールさせて表示させるようにしてもよい。これにより、ボタン電話機のユーザに保留外線が存在することに対する注意を喚起することができる。また、画面表示部２６のサイズ、表示する文字の大きさ、保留表示情報の情報量により、一度に全ての保留表示情報を画面表示部２６に表示できない場合であっても、全ての情報を表示することが可能となる。
【００３０】
また、保留外線が複数存在する場合、表示処理手段１３ｂは、保留外線毎に保留表示情報を生成する。これらの保留情報は、ボタン電話機の画面表示部２６上で保留外線毎にスクロールさせて表示される。
【００３１】
口頭、内線呼び出しまたは画面表示部２６の目視等により自分宛の保留外線の存在を認識し、ボタン電話機２Ｂでその保留外線に応答するユーザは、自分宛の保留外線の識別番号が付与された外線ボタンを押下する。この外線ボタンが押下されたことに関する保留中外線押下情報は、ボタン電話機２Ｂの操作入力部２３により検出され（ステップＳ２２１）、主装置１の主制御部１３に送信される（ステップＳ２２２）。
【００３２】
保留中外線押下情報を受信すると、機能処理手段１３ａは、保留外線とボタン電話機２Ｂとの通話パスを確立する（ステップＳ２２３）これにより、ボタン電話機２Ｂは、保留にされていた相手先と通話状態となる（ステップＳ２２４）。
【００３３】
通話状態となると、表示処理手段１３ｂは、上述したような通話表示情報を生成し、これを通話状態となったボタン電話機２Ｂに送信する（ステップＳ２２５）。これにより、ボタン電話機２Ｂの画面表示部２６には、図３（ｂ）に示すような通話表示情報が表示される（ステップＳ２２６）。ここで、本実施の形態の電話システムに他の保留外線が存在する場合、表示処理手段１３ｂは、その保留外線について保留表示情報を生成し、これをボタン電話機２Ｂに送信するようにしてもよい。この場合、ボタン電話機２Ｂの画面表示部２６には、保留表示情報、または、通話表示情報と保留表示情報の両方が表示される。これにより、ボタン電話機２Ｂのユーザは、通話状態であっても、保留外線を認識することができる。したがって、自分宛の保留外線が存在する場合は、現在の通話を早めに切り上げて保留外線に応答するようなことも可能となる。
【００３４】
また、表示処理手段１３ｂは、変更表示情報を生成し、これをボタン電話機２Ｂ以外のボタン電話機に送信する（ステップＳ２２７）。ここで、変更表示情報とは、アイドル状態での表示情報または保留表示情報を意味する。例えば、ボタン電話機２Ｂが通話状態となることにより、本実施の形態の電話システムに保留外線がなくなった場合、表示処理手段１３ｂは、アイドル状態での表示情報を生成し、これをボタン電話機２Ｂ以外のボタン電話機に送信する。これにより、ボタン電話機２Ｂ以外のボタン電話機には、図３（ａ）に示すようなアイドル状態での表示情報が表示される。一方、ボタン電話機２Ｂが通話状態となっても、本実施の形態の電話システムに他の保留外線が存在する場合、表示処理手段１３ｂは、その保留外線について保留表示情報を生成し、これをボタン電話機２Ｂ以外のボタン電話機に送信する。これにより、ボタン電話機２Ｂ以外のボタン電話機には図３（ｄ）に示すような保留表示情報が表示される。
【００３５】
ボタン電話機２Ｂの通話を終了する場合、ボタン電話機２Ｂのユーザは、ハンドセットＨＳをオンフックにする。このオンフックに関する終話情報は、ボタン電話機２Ｂの操作入力部２３により検出され（ステップＳ２３０）、主装置１の主制御部１３に送信される（ステップＳ２３１）。
【００３６】
終話情報を受信すると、機能処理手段１３ａは、相手先との通話に使用していた外線を解放する。これにより、ボタン電話機２Ｂは、相手先との通話が終了する。また、表示処理手段１３ｂは、変更表示情報を生成し、これをボタン電話機２Ｂ以外のボタン電話機に送信する（ステップＳ２２７）。ここで、変更表示情報とは、上述したようにアイドル状態での表示情報または保留表示情報を意味する。例えば、ボタン電話機２Ｂが終話状態となったとき、本実施の形態の電話システムに保留外線が存在しない場合、表示処理手段１３ｂは、アイドル状態での表示情報を生成し、これをボタン電話機２Ｂに送信する。これにより、ボタン電話機２Ｂには、図３（ａ）に示すようなアイドル状態での表示情報が表示される。一方、ボタン電話機２Ｂが終話状態となったときに、本実施の形態の電話システムに保留外線が存在する場合、表示処理手段１３ｂは、その保留外線についての保留表示情報を生成し、これをボタン電話機２Ｂに送信する。これにより、ボタン電話機２Ｂ以外のボタン電話機には図３（ｄ）に示すような保留表示情報が表示される。
【００３７】
このように、本実施の形態によれば、保留外線の識別番号と、この保留外線との通話に応答すべきユーザの名前が各ボタン電話機の画面表示部２６に表示されるので、何れのボタン電話機２においても応答すべき外線を容易に識別することができる。
【００３８】
なお、本実施の形態において、宛先選択表示情報および保留表示情報には、保留外線の転送先のユーザの名前を含めるようにしたが、転送先のボタン電話機の内線番号、または、転送先のユーザの名前とボタン電話機の内線番号の両方を含めるようにしてもよい。内線番号が含まれる場合、画面表示部２６には、図３（ｃ）に示すユーザの名前の場合と同様、画面表示部２６には、保留外線に応答させるボタン電話機の内線番号が列挙して表示される。このように、ボタン電話機の内線番号を表示することにより、保留操作を行うユーザは、保留外線を転送するボタン電話機を容易に選択することができる。また、ユーザの名前と内線番号の両方が含まれる場合、画面表示部２６には、ユーザの名前と、このユーザが使用するボタン電話機の内線番号とが列挙して表示される。これにより、保留操作を行うユーザは、保留外線を転送するユーザおよびこのユーザが使用するボタン電話機を容易に選択することができる。
【００３９】
また、本実施の形態において、宛先選択表示情報には、他のボタン電話機の動作状況も併せて表示するようにしてもよい。これにより、保留動作を行ったボタン電話機のユーザは、保留外線を転送しようとするボタン電話機の動作状況を確認することができる。したがって、例えば、保留外線を転送したいボタン電話機が通話中などの場合、この旨を即座に相手先に伝えたり、保留外線を他のボタン電話機に転送したりすることが可能となる。
【００４０】
また、本実施の形態では、上記ステップＳ２１１，２１２に示す保留操作の後、ボタン電話機の画面表示部２６に宛先選択表示情報を表示し、この宛先選択表示情報に基づいて宛先となるボタン電話機を選択するようにしたが、上記保留操作の後に内線呼び出しを行った後に保留表示情報を表示させるようにしてもよい。ここで、内線呼び出しとは、保留外線を転送するボタン電話機を呼び出して、ハンズフリー通話などの内線通話を行うことを意味する。このような場合、保留操作を行ったユーザにより内線呼び出しが行われ、保留操作が行われたボタン電話機のハンドセットＨＳがオンフックにされると、表示処理手段１３ｂは、保留表示情報を生成し、これを全てのボタン電話機に送信する。このとき、保留表示情報には、保留外線の識別番号、保留外線の転送先のボタン電話機の内線番号、保留操作を行ったボタン電話機の内線番号等を含めることができる。このようにしても、保留外線の識別番号や宛先のボタン電話機の内線番号を全てのボタン電話機の画面表示部２６に表示することができる。
【００４１】
また、上記内線呼び出しを行った後に、上記ステップＳ２１３，２１４に示す宛先選択動作を行うようにしてもよい。この場合、保留表示情報には、保留外線の識別番号、保留外線の転送先となるユーザの名前、保留外線の転送先のボタン電話機の内線番号、保留操作を行ったボタン電話機の内線番号等を含めることができる。このようにしても、保留外線の識別番号とともに宛先となるユーザの名前やボタン電話機の内線番号を全てのボタン電話機の画面表示部２６に表示することができる。
【００４２】
また、本実施の形態において、全てのボタン電話機に保留表示情報を表示するようにしたが、通話状態のボタン電話機には表示しないようにしてもよい。
【００４３】
また、本実施の形態において、全てのボタン電話機が画面表示部２６を備えるようにしたが、画面表示部２６を備えていないボタン電話機も主装置１に接続されるようにしてもよい。
【産業上の利用可能性】
【００４４】
本発明は、複数のボタン電話機を有する電話システムや複数の子機を有する親子電話機などに適用することができる。
【図面の簡単な説明】
【００４５】
【図１】本発明の電話システムの構成を示すブロック図である。
【図２】本発明の電話システムの動作を示すタイミングチャートである。
【図３】（ａ）アイドル状態での表示情報、（ｂ）表示表示情報、（ｃ）宛先選択表示情報、（ｄ）保留表示情報をそれぞれ表示した画面表示部の模式図である。
【符号の説明】
【００４６】
１…主装置、２，２Ａ，２Ｂ，２Ｎ…ボタン電話機、１０…電話網、１１…外線Ｉ／Ｆ部、１２…内線Ｉ／Ｆ部、１３…主制御部、１３ａ…機能処理手段、１３ｂ…表示処理手段、１４…主記憶部、２０…内線伝送路、２１…伝送Ｉ／Ｆ部、２２…音声処理部、２３…操作入力部、２４…子機制御部、２５…制御メモリ、２６…画面表示部、ＨＳ…ハンドセット、ＭＩＣ…マイク、ＳＰ…スピーカ。
【図１】
2007096869.tif 000003
【図２】
2007096869.tif 000004
【図３】
2007096869.tif 000005